(57)【要約】【課題】梁や梁に吊り下げる複数枚の扉の荷重に充分に耐えられるのは勿論、暴風や地震等の災害時にかかる荷重にも充分に耐えられるだけの立設強度を有する仮設門扉の支柱立設具及びその支柱立設構造を提供する。【解決手段】ベースプレートＰに直立させた支柱１と、この支柱１の下端に設けた連結部材２に、前端に設けた連結部材３を連結可能とした水平支持枠４と、前記支柱１の中間部と前記水平支持枠４の中間部を連結部材５、６で連結可能とした斜め支持枠７と、前記水平支持枠４の後端に連結部材８で連結し、地面に固定可能とした杭９とからなるものとしている。【選択図】図１
2009062689.tif 000002
【特許請求の範囲】
【請求項１】
ベースプレート（Ｐ）に直立させた支柱（１）と、この支柱（１）の下端に設けた連結部材（２）に、前端に設けた連結部材（３）を連結可能とした水平支持枠（４）と、前記支柱（１）の中間部と前記水平支持枠（４）の中間部を連結部材（５、６）で連結可能とした斜め支持枠（７）と、前記水平支持枠（４）の後端に連結部材（８）で連結し、地面に固定可能とした杭（９）とからなることを特徴とする仮設門扉の支柱立設具。
【請求項２】
前記連結部材（２）を、垂直板（２ａ）と、前後端にボルト孔（１０）を有した水平板（２ｂ）とからなるＬ形鋼板とし、前記支柱（１）の下端の前後に食み出して固着したものとし、前記連結部材（３）を、垂直板（３ａ）と、前後端にボルト孔（１１ｂ）を有した水平板（３ｂ）とからなるＬ形鋼板とし、前記水平支持枠（４）の前端に固着したものとし、前記連結部材（２）の水平板（２ｂ）と前記連結部材（３）の水平板（３ｂ）とを重ね合わせると共に、水平板（２ｂ）の後端のボルト孔（１０）と水平板（３ｂ）の前端のボルト孔（１１ｂ）、または水平板（２ｂ）の前端のボルト孔（１０）と水平板（３ｂ）の前端のボルト孔（１１ｂ）を一致させ、ボルト（Ｂ）でベースプレート（Ｐ）に固着するようにしたことを特徴とする請求項１記載の仮設門扉の支柱立設具。
【請求項３】
前記ベースプレート（Ｐ）を、地面に埋設された基礎ブロック（Ｆ）の上面に、この基礎ブロック（Ｆ）に突設したアンカーボルト（Ｂｕ）によって固着したものとしたことを特徴とする請求項１記載の仮設門扉の支柱立設具。
【請求項４】
前記連結部材（５）を、支柱（１）の周囲に着脱自在とした巻着体（１３）と、この巻着体（１３）に回動自在に取り付けられると共に、前記斜め支持枠（７）の上端に着脱自在として取り付けられるクランプ（１４）とからなるものとしたことを特徴とする請求項１記載の仮設門扉の支柱立設具。
【請求項５】
前記連結部材（６）を、水平支持枠（４）の中間部に回動自在に取り付けられたクランプ（１５）からなるものとし、前記連結部材（８）を、水平支持枠（４）の後端に回動自在に取り付けられたクランプ（１６）からなるものとしたことを特徴とする請求項１記載の仮設門扉の支柱立設具。
【請求項６】
支柱（１）の下端に設けた連結部材（２）と、水平支持枠（４）の前端に設けた連結部材（３）を連結し、これら連結部材（２、３）をベースプレート（Ｐ）に固着したものとし、前記支柱（１）の中間部に斜め支持枠（７）の上端を連結部材（５）で連結し、前記水平支持枠（４）の中間部に前記斜め支持枠（７）の下端を連結部材（６）で連結したものとし、前記水平支持枠（４）の後端に地面に固定した杭（９）の上端を連結部材（８）で連結したものとして、前記支柱（１）をベースプレート（Ｐ）上に立設するようにしたことを特徴とする仮設門扉の支柱立設構造。
【請求項７】
前記連結部材（２）を、垂直板（２ａ）と、前後端にボルト孔（１０）を有した水平板（２ｂ）とからなるＬ形鋼板とし、前記支柱（１）の下端の前後に食み出して固着したものとし、前記連結部材（３）を、垂直板（３ａ）と、前後端にボルト孔（１１ｂ）を有した水平板（３ｂ）とからなるＬ形鋼板とし、前記水平支持枠（４）の前端に固着したものとし、前記連結部材（２）の水平板（２ｂ）と前記連結部材（３）の水平板（３ｂ）とを重ね合わせると共に、水平板（２ｂ）の後端のボルト孔（１０）と水平板（３ｂ）の前端のボルト孔（１１ｂ）、または水平板（２ｂ）の前端のボルト孔（１０）と水平板（３ｂ）の前端のボルト孔（１１ｂ）を一致させ、ボルト（Ｂ）でベースプレート（Ｐ）に固着するようにしたことを特徴とする請求項６記載の仮設門扉の支柱立設構造。
【請求項８】
前記ベースプレート（Ｐ）を、地面に埋設された基礎ブロック（Ｆ）の上面に、この基礎ブロック（Ｆ）に突設したアンカーボルト（Ｂｕ）によって固着したものとしたことを特徴とする請求項６記載の仮設門扉の支柱立設構造。
【請求項９】
前記連結部材（５）を、支柱（１）の周囲に着脱自在とした巻着体（１３）と、この巻着体（１３）に回動自在に取り付けられると共に、前記斜め支持枠（７）の上端に着脱自在として取り付けられるクランプ（１４）とからなるものとしたことを特徴とする請求項６記載の仮設門扉の支柱立設構造。
【請求項１０】
前記連結部材（６）を、水平支持枠（４）の中間部に回動自在に取り付けられたクランプ（１５）からなるものとし、前記連結部材（８）を、水平支持枠（４）の後端に回動自在に取り付けられたクランプ（１６）からなるものとしたことを特徴とする請求項６記載の仮設門扉の支柱立設構造。
【発明の詳細な説明】
【技術分野】
【０００１】
この発明は、建築工事現場や道路工事現場等の周囲を仮囲い板で取り囲んだ場合に、その出入り口等に設けられる仮設門扉の支柱立設具及びその支柱立設構造に関するものである。
【背景技術】
【０００２】
従来、この種の仮設門扉の支柱２１は、例えば図５に示したように、地面に埋設された基礎ブロックＦの上面にアンカーボルトＢｕによって固着したベースプレートＰの上面に、下端に溶接等で固着したＬ型の連結金具２２をボルトＢで固着させることによって、下端をベースプレートＰを介して基礎ブロックＦに固着して、この基礎ブロックＦの上面に立設したものとしている（特許文献１）。
【０００３】
このようにした仮設門扉の支柱２１を、図６に示したように、その一対を適宜間隔をおいて立設し、これら支柱２１の上端間に、梁Ｇを架け渡し、この梁Ｇに吊り下げられて走行するようにした複数枚の扉Ｄを取り付けることによって仮設門扉を構築することができるようにしている。
【特許文献１】特開平２−２７４９２４号公報（第３頁、第３図、第４図）
【発明の開示】
【発明が解決しようとする課題】
【０００４】
しかしながら、従来の仮設門扉の支柱２１は、上記したように基礎ブロックＦの上面に固着したベースプレートＰの上面に、下端に固着した連結金具２２をボルトＢで固着させているだけであるので、梁Ｇを架け渡したり、この梁Ｇに複数枚の扉Ｄを吊り下げたりすると、これらの荷重に耐えられるだけの充分な立設強度を確保できないことがあるという問題点を有していた。
【０００５】
さらに、従来の仮設門扉の支柱２１は、前記荷重に耐えられるだけの充分な立設強度を確保できたとしても、暴風や地震等の災害時にはそれ以上の荷重がかかる場合があり、このような場合の充分な立設強度を確保するのは、前記構造では不充分であるという問題点を有していた。
【０００６】
そこで、この発明は、上記従来の問題点を解決するものであり、梁や梁に吊り下げる複数枚の扉の荷重に充分に耐えられるのは勿論、暴風や地震等の災害時にかかる荷重にも充分に耐えられるだけの立設強度を有する仮設門扉の支柱立設具及びその支柱立設構造を提供することを目的としてなされたものである。
【課題を解決するための手段】
【０００７】
そのため、この発明の仮設門扉の支柱立設具は、ベースプレートＰに直立させた支柱１と、この支柱１の下端に設けた連結部材２に、前端に設けた連結部材３を連結可能とした水平支持枠４と、前記支柱１の中間部と前記水平支持枠４の中間部を連結部材５、６で連結可能とした斜め支持枠７と、前記水平支持枠４の後端に連結部材８で連結し、地面に固定可能とした杭９とからなるものとしている。
【０００８】
そして、この発明の仮設門扉の支柱立設構造は、支柱１の下端に設けた連結部材２と、水平支持枠４の前端に設けた連結部材３を連結し、これら連結部材２、３をベースプレートＰに固着したものとし、前記支柱１の中間部に斜め支持枠７の上端を連結部材５で連結し、前記水平支持枠４の中間部に前記斜め支持枠７の下端を連結部材６で連結したものとし、前記水平支持枠４の後端に地面に固定した杭９の上端を連結部材８で連結したものとして、前記支柱１をベースプレートＰ上に立設するようにしたものとしている。
【０００９】
さらに、この発明において前記連結部材２は、垂直板２ａと、前後端にボルト孔１０を有した水平板２ｂとからなるＬ形鋼板とし、前記支柱１の下端の前後に食み出して固着したものとし、前記連結部材３は、垂直板３ａと、前後端にボルト孔１１ｂを有した水平板３ｂとからなるＬ形鋼板とし、前記水平支持枠４の前端に固着したものとし、前記連結部材２の水平板２ｂと前記連結部材３の水平板３ｂとを重ね合わせると共に、水平板２ｂの後端のボルト孔１０と水平板３ｂの前端のボルト孔１１ｂ、または水平板２ｂの前端のボルト孔１０と水平板３ｂの前端のボルト孔１１ｂを一致させ、ボルトＢでベースプレートＰに固着するようにしたものとしている。
【００１０】
また、この発明において前記ベースプレートＰは、地面に埋設された基礎ブロックＦの上面に、この基礎ブロックＦに突設したアンカーボルトＢｕによって固着したものとしている。
【００１１】
さらに、この発明において前記連結部材５は、支柱１の周囲に着脱自在とした巻着体１３と、この巻着体１３に回動自在に取り付けられると共に、前記斜め支持枠７の上端に着脱自在として取り付けられるクランプ１４とからなるものとしている。
【００１２】
また、この発明において前記連結部材６は、水平支持枠４の中間部に回動自在に取り付けられたクランプ１５からなるものとし、前記連結部材８は、水平支持枠４の後端に回動自在に取り付けられたクランプ１６からなるものとしている。
【発明の効果】
【００１３】
この発明は、以上に述べたように構成されているので、梁や梁に吊り下げる複数枚の扉の荷重に充分に耐えられるのは勿論、暴風や地震等の災害時にかかる荷重にも充分に耐えられるだけの立設強度を有するものとなり、仮設門扉が梁や梁に吊り下げる複数枚の扉の荷重や、暴風や地震等の災害時にかかる荷重によって倒壊することもなく、非常に安全なものとなった。
【発明を実施するための最良の形態】
【００１４】
以下、この発明の仮設門扉の支柱立設具及びその支柱立設構造の実施の形態を、図面に基づいて詳細に説明する。
【００１５】
この発明の仮設門扉の支柱立設具は、図示したように、地面に埋設された基礎ブロックＦの上面等に固着したベースプレートＰの上面に直立させた支柱１と、この支柱１の下端に固着するなどして設けた連結部材２に、前端に固着するなどして設けた連結部材３を着脱自在に連結可能とした水平支持枠４と、前記支柱１の中間部と前記水平支持枠４の中間部を連結部材５、６で着脱自在に連結可能とした斜め支持枠７と、前記水平支持枠４の後端に連結部材８で連結し、地面に固定可能とした杭９とからなるものとしている。
【００１６】
そして、この発明の仮設門扉の支柱立設構造は、前記支柱立設具を用いて支柱１をベースプレートＰ上に立設するようにしている。すなわち、この発明の仮設門扉の支柱立設構造は、図示したように、前記支柱１の下端に固着するなどして設けた連結部材２と、水平支持枠４の前端に固着するなどして設けた連結部材３をボルトＢで連結し、これら連結部材２、３をベースプレートＰの上面にボルトＢで固着したものとしている。そして、前記支柱１の中間部には、斜め支持枠７の上端を連結部材５で連結し、前記水平支持枠４の中間部には、前記斜め支持枠７の下端を連結部材６で連結したものとしている。さらに、前記水平支持枠４の後端には、地面に打設して固定した杭９の上端を連結部材８で連結したものとしている。
【００１７】
前記支柱１及び水平支持枠４は、図示したものでは角筒からなるものとしているが、円筒や角柱、円柱等からなるものとしてもよい。さらに、前記斜め支持枠７及び杭９は、図示したものでは円筒からなるものとしているが、角筒や角柱、円柱等からなるものとしてもよい。
【００１８】
前記連結部材２は、垂直板２ａと、前後端にボルト孔１０を有した水平板２ｂとからなるＬ形鋼板としており、前記支柱１の下端の両側の前後にボルト孔１０を食み出して溶接等で固着したものとしている。さらに、前記連結部材３は、前後端と中間部との三個所にボルト孔１１ａを有した垂直板３ａと、前後端にボルト孔１１ｂを有した水平板３ｂとからなるＬ形鋼板としており、必要により間隔調整板１２を介して、前記水平支持枠４の前端の両側にボルトＢとナットＮ等で固着したものとしている。なお、前記間隔調整板１２は、前記連結部材２の水平板２ｂと連結部材３の水平板３ｂとが上下になるように重ね合わせる場合に、前記連結部材２の垂直板２ａと連結部材３の垂直板３ａとが突き当たらないように、水平支持枠４の両側に固着した前記連結部材３の垂直板３ａ間の間隔を調整するものである。
【００１９】
そこで、前記連結部材２の水平板２ｂと前記連結部材３の水平板３ｂとを上下になるように重ね合わせると共に、水平板２ｂの後端のボルト孔１０と水平板３ｂの前端のボルト孔１１ｂ、または水平板２ｂの前端のボルト孔１０と水平板３ｂの前端のボルト孔１１ｂを一致させ、ボルトＢでベースプレートＰの上面に固着するようにしたものとしている。すなわち、前記後端のボルト孔１０と前端のボルト孔１１ｂを一致させた場合には、図示したように、前記水平支持枠４は前記支柱１の後側に配置されるものとなり、前記前端のボルト孔１０と前端のボルト孔１１ｂを一致させた場合には、図示していないが、前記水平支持枠４は前記支柱１の前側に配置されるものとなる。
【００２０】
前記ベースプレートＰは、図示したものでは地面に埋設された基礎ブロックＦの上面に、この基礎ブロックＦに突設したアンカーボルトＢｕによって固着したものとしているが、地面に掘った穴にコンクリートを流し、固める際に、このコンクリートに突設したアンカーボルト等によって固着したものとしてもよい。
【００２１】
前記連結部材５は、支柱１の周囲に着脱自在としたリング状の巻着体１３と、この巻着体１３に回動自在に取り付けられると共に、前記斜め支持枠７の上端に着脱自在として取り付けられるクランプ１４とからなるものとしている。このようにした前記連結部材５は、支柱１と斜め支持枠７との連結位置を調整して、これら両者を着脱自在として連結することができるものとなる。
【００２２】
前記連結部材６は、水平支持枠４の中間部に回動自在に取り付けられたクランプ１５からなるものとしており、前記連結部材８は、水平支持枠４の後端に回動自在に取り付けられたクランプ１６からなるものとしている。このようにした前記連結部材６は、水平支持枠４と斜め支持枠７との連結位置を調整して、これら両者を着脱自在として連結することができるものとなる。さらに、このようにした前記連結部材８は、水平支持枠４と杭９との連結位置を調整して、これら両者を着脱自在として連結することができるものとなる。
【００２３】
前記斜め支持枠７は、図示したものでは支柱１と水平支持枠４の片側に一本連結したものとしているが、支柱１と水平支持枠４の両側に二本連結したものとしてもよい。この場合には、連結部材５のクランプ１４は巻着体１３の両側面に取り付けたものとし、連結部材６のクランプ１５も水平支持枠４の両側面に取り付けたものとする。このようにすることにより、斜め支持枠７の支持強度が増大するので、支柱１の立設強度もより増大することになる。
【００２４】
前記杭９は、図示したものでは水平支持枠４の片側に一本連結したものとしているが、水平支持枠４の両側に二本連結したものとしてもよい。この場合には、連結部材８のクランプ１６は水平支持枠４の両側面に取り付けたものとする。このようにすることにより、杭９の固定強度が増大するので、支柱１の立設強度もより増大することになる。
【００２５】
以上のように構成されたこの発明によって立設された支柱１は、図３、４に示したように、建築工事現場や道路工事現場等の周囲を取り囲んだ仮囲い板の出入り口等に、その一対を適宜間隔をおいて配置する。そして、これら支柱１の上端間に、梁Ｇを架け渡し、この梁Ｇに吊り下げられて走行するようにした複数枚の扉Ｄを取り付けることによって仮設門扉が構築されることになる。
【００２６】
この発明によって立設された仮設設門扉の支柱１は、前記水平支持枠４と斜め支持枠７との連結によって三点支持構造となり、さらに前記水平支持枠４が杭９によって地面に固定されているので、立設強度に非常に優れたものとなり、梁Ｇや梁Ｇに吊り下げる複数枚の扉Ｄの荷重に充分に耐えられるのは勿論、暴風や地震等の災害時にかかる荷重にも充分に耐えられるだけの立設強度を有するものとなる。
【００２７】
さらに、この発明は、前記支柱１の下端に設けた連結部材２とベースプレートＰとの連結、前記連結部材２と水平支持枠４の前端に設けた連結部材３との連結、前記支柱１の中間部と斜め支持枠７の上端の連結部材５による連結、前記水平支持枠４の中間部と斜め支持枠７の下端の連結部材６による連結、前記水平支持枠４の後端と杭９の上端の連結部材８による連結をそれぞれ解除すれば、これら支柱１、水平支持枠４、斜め支持部材７及び杭９をバラバラに分解することができる。したがって、これら支柱１、水平支持枠４、斜め支持部材７及び杭９を他の建築工事現場や道路工事現場等に運搬して、その現場で組み立てれば再使用することができるものとなる。なお、基礎ブロックＦからベースプレートＰを外すと共にこの基礎ブロックＦも地面から掘り起こし、杭９も地面から抜けば、これら基礎ブロックＦ、ベースプレートＰ及び杭９も、同様に再使用することができるものとなる。
【図面の簡単な説明】
【００２８】
【図１】この発明の仮設門扉の支柱立設具及びその支柱立設構造の斜視図である。
【図２】この発明の仮設門扉の支柱立設具及びその支柱立設構造の分解斜視図である。
【図３】この発明の仮設門扉の支柱立設具及びその支柱立設構造の側面図である。
【図４】この発明を実施した仮設門扉の正面図である。
【図５】従来の仮設門扉の支柱立設構造の説明図である。
【図６】従来の支柱立設構造を実施した仮設門扉の正面図である。
【符号の説明】
【００２９】
１  支柱
２  連結部材
２ａ  垂直板
２ｂ  水平板
３  連結部材
３ａ  垂直板
３ｂ  水平板
４  水平支持枠
５  連結部材
６  連結部材
７  斜め支持枠
８  連結部材
９  杭
１０  ボルト孔
１１ａ  ボルト孔
１３  巻着体
１４  クランプ
１５  クランプ
１６  クランプ
Ｂ  ボルト
Ｂｕ  アンカーボルト
Ｆ  基礎ブロック
Ｐ  ベースプレート
【図１】
2009062689.tif 000003
【図２】
2009062689.tif 000004
【図３】
2009062689.tif 000005
【図４】
2009062689.tif 000006
【図５】
2009062689.tif 000007
【図６】
2009062689.tif 000008